(57)【要約】【課題】把持し易いグリップ部が一体成形された矩形の筒状断面の胴部を備えた合成樹脂製のブロー成形ボトルを提案すること。【解決手段】グリップ付きブロー成形ボトル１は、矩形の筒状断面の胴部２の上下方向の中程の部位に全周に亘る凹部６が形成され、広幅の側面１１ａ、１１ｂ、１３ａ、１３ｂの凹部６１、６３がグリップ部として機能する。凹部６１、６３は側面幅方向の中央部分が最も深く、幅も広い。凹部底面３１、３３は滑らかに連続する凹曲面３１ａと凸曲面３１ｂ、３１ｃによって規定され、左右の凸曲面３１ｂ、３１ｃの曲率が大きい。凹部６１の上側の内側側面を規定している下向き傾斜外周面４１は側面幅方向に直線状に延びている。グリップ部６１、６３に当てた指は、その両側の曲率の大きな凸曲面３１ｂ、３１ｃと、直線状に延びる下向き傾斜外周面４１に確実に引掛かるので、ボトル１を持ち上げ易いグリップ部が得られる。【選択図】図１
2008201433.tif 000002
【特許請求の範囲】
【請求項１】
ほぼ矩形の筒状断面の胴部と、
この胴部における対向する二つの側面にそれぞれ形成されているグリップ部とを有し、
各グリップ部は、
各側面の上下方向の中程の部位において側面幅方向に延びている胴部内方に窪んだ凹部によって規定されており、
当該凹部の深さは、前記側面幅方向の中央において最も深く、側面幅方向の両側に向かうに連れて徐々に浅くなっており、
当該凹部の幅は、前記側面幅方向の中央において最も広く、側面幅方向の両側に向かうに連れて徐々に狭くなっており、
当該凹部の底面は、胴部内方に窪んでいる所定の曲率の凹曲面と、この凹曲面の両端に滑らかに連続している当該凹曲面よりも曲率の大きな胴部外方に突出している凸曲面とによって規定されていることを特徴とする合成樹脂製のグリップ付きブロー成形ボトル。
【請求項２】
前記凹部の上側側面は前記側面幅方向に直線状に延びており、
前記凹部の下側側面は前記側面幅方向の中央部分が最も低くなるように湾曲状に延びていることを特徴とする請求項１に記載のグリップ付きブロー成形ボトル。
【請求項３】
前記凹部の底面と上側側面の間の入隅部分は、少なくとも前記側面幅方向の中央部分において、胴部内方に湾曲している凹曲面を介して滑らかに連続していることを特徴とする請求項１または２に記載の合成樹脂製のグリップ付きブロー成形ボトル。
【請求項４】
前記胴部は長方形の筒状断面をしており、
この胴部における広幅の対向側面に前記グリップ部が形成されていることを特徴とする請求項１ないし３のうちのいずれかの項に記載の合成樹脂製のグリップ付きブロー成形ボトル。
【請求項５】
各グリップ部を規定している各凹部の両端がそれぞれ、広幅の側面に隣接している細幅の対向側面に形成されている一定幅および一定深さの凹部の両端にそれぞれ繋がっていることを特徴とする請求項１ないし４のうちのいずれかの項に記載の合成樹脂製のグリップ付きブロー成形ボトル。
【発明の詳細な説明】
【技術分野】
【０００１】
本発明は、合成樹脂製のプリフォームをブロー成形することにより得られるＰＥＴボトルなどのブロー成形ボトルに関し、特に、その胴部にボトルを持ち易くするためのグリップ部が一体成形されているグリップ付きブロー成形ボトルに関するものである。
【背景技術】
【０００２】
醤油、食用油、酒類などを充填する容器として２軸延伸ブロー成形によって製造された合成樹脂製のボトルが使用されている。このようなボトルは比較的大容量のものが多いので、持ち運びのための把手が取り付けられた構造のものが多い。把手をブロー成形されたボトルに取り付ける代わりに、ブロー成形時にボトル胴部に凹部を形成し、これをグリップとして用いるグリップ付きボトルも知られている。特許文献１〜４には、このようなグリップ付きボトルが開示されている。
【０００３】
このようなグリップ付きボトルは、１．８リットル程度の大容量のボトルであり、充填液体の重量によって変形などすることの無い様に円筒状の胴部が採用されている。また、形成されるグリップ用の凹部は、胴部の一部を大きく窪ませることにより、内容物が充填されたボトルが重くても確実に把持できるように、深くて大きなものとされるのが一般的である。
【特許文献１】特開平２−３９９２６号公報
【特許文献２】特開２００２−２８３４４１号公報
【特許文献３】特開２００５−１０４４８５号公報
【特許文献４】特開２００６−８１９０号公報
【発明の開示】
【発明が解決しようとする課題】
【０００４】
ここで、５００ミリリットル程度の容量の飲料用ボトルは、外観デザイン、取り扱い易さの点などから矩形断面の筒状ボトルが用いられている。このような矩形筒状のボトルにおいても持ち易さの点から胴部にグリップ部が一体成形されていることが望ましい。
【０００５】
本発明の課題は、矩形断面の筒状胴部を備えた合成樹脂製のブロー成形ボトルに採用するのに適したグリップ部の形状を提案することにある。
【課題を解決するための手段】
【０００６】
上記の課題を解決するために、本発明の合成樹脂製のブロー成形ボトルは、
ほぼ矩形の筒状断面の胴部と、
この胴部における対向する二つの側面にそれぞれ形成されているグリップ部とを有し、
各グリップ部は、
各側面の上下方向の中程の部位において側面幅方向に延びている胴部内方に窪んだ凹部によって規定されており、
当該凹部の深さは、前記側面幅方向の中央において最も深く、側面幅方向の両側に向かうに連れて徐々に浅くなっており、
当該凹部の幅は、前記側面幅方向の中央において最も広く、側面幅方向の両側に向かうに連れて徐々に狭くなっており、
当該凹部の底面は、胴部内方に窪んでいる所定の曲率の凹曲面と、この凹曲面の両端に滑らかに連続している当該凹曲面よりも曲率の大きな胴部外方に突出している凸曲面とによって規定されていることを特徴としている。
【０００７】
本発明では、グリップ部を規定している凹部の底面が、屈曲線の無い滑らかに連続した曲面によって規定されている。したがって、このような成形面を備えた金型の加工は容易であるので、グリップ付きブロー成形ボトルの製造コストの低減化に有利である。
【０００８】
また、底面の両端には曲率の大きな胴部外方に突出している凸曲面が連続しているので、指で保持し易い底面形状を備えたグリップ部を形成できる。
【０００９】
ここで、前記凹部の上側側面を前記側面幅方向に直線状に延びたものとし、前記凹部の下側側面を前記側面幅方向の中央が最も低くなるように湾曲状に延びているものとし、凹部の中央部分の幅を広くすることが望ましい。このように上側側面が直線状に側面幅方向に延びていると、ボトルを指で掴む際に当該上側側面に指が引掛り易くなる。
【００１０】
次に、前記凹部の底面と上側側面の間の入隅部分を、少なくとも前記側面幅方向の中央部分において、胴部内方に湾曲した凹曲面を介して滑らかに連続させた形状とすることが望ましい。入隅の角度が急であると、成形性が低下し、成形品の取り出し時に、当該入隅部分を規定している金型の成形面部分に、そこに押圧されたボトル側の部分が引掛り易くなってしまう。
【００１１】
一方、ブロー成形ボトルの胴部が長方形の筒状断面の場合には、この胴部における広幅の対向側面に前記グリップ部を形成すれば、ボトルを持ち易い。
【００１２】
また、矩形断面のボトルの強度を高めるためには、胴部の全周に亘って凹部を形成し、対向する二つの側面に形成されている凹部にグリップ部を形成すればよい。
【発明の効果】
【００１３】
本発明のグリップ付きブロー成形ボトルによれば、グリップ部を規定している凹部の形状を改良することにより、ブロー成形用の金型の加工が容易になり、また、グリップ部の成形性も改善され、しかも、持ち易いグリップ部を形成することができる。
【発明を実施するための最良の形態】
【００１４】
以下に、図面を参照して、本発明を適用したグリップ付きブロー成形ボトルの実施の形態を説明する。
【００１５】
図１は本実施の形態に係るグリップ付きブロー成形ボトルを示す正面図、平面図および底面図であり、図２はその側面図である。また、図３は図１におけるＡ−Ａ線、Ｂ−Ｂ線、Ｃ−Ｃ線およびＤ−Ｄ線で切断した胴部の横断面図であり、図４は図１におけるＥ−Ｅ線および図２におけるＦ−Ｆ線で切断した胴部の部分縦断面図である。
【００１６】
グリップ付きブロー成形ボトル１（以下、単に「ボトル１」と呼ぶ。）は、例えばＰＥＴ樹脂から二軸延伸ブロー成形によって製造された飲料用ボトルである。このボトル１は、横長の矩形断面の筒状胴部２と、この下端を封鎖している底部３と、筒状胴部２の上端に連続して四角錐台状に延びている首部４と、この首部４の上端に形成されている円筒状の口部５とを備えている。口部５の外周面にはねじ部５ａが形成されており、ここに不図示のキャップが取り付けられて封鎖されるようになっている。
【００１７】
矩形断面の筒状胴部２は、その上下方向の中程の部位において全周に亘って延びている凹部６によって上半部分２ａと下半部分２ｂに分けられている。上半部分２ａは、基本的に、４つの側面１１ａ〜１４ａと、これらの四隅に形成されている面取り面２１ａ〜２４ａとによって規定されている。同様に下半部分２ｂは、４つの側面１１ｂ〜１４ｂと、これらの四隅に形成されている面取り面２１ｂ〜２４ｂとによって規定されている。本例では、上半部分２ａが下半部分２ｂよりも僅かではあるが一回り小さな寸法とされている。
【００１８】
上半部分２ａおよび下半部分２ｂの間に形成されている凹部６は、その底面を規定している垂直外周面３０（３１〜３４）と、その内側側面の一方を規定している上側の下向き傾斜外周面４０（４１〜４４）と、その内側側面の他方を規定している下側の上向き傾斜外周面５０（５１〜５４）とを備えている（なお、下向き傾斜外周面４３および上向き傾斜外周面５３は図示を省略してある。）。
【００１９】
上側の下向き傾斜外周面４０（４１〜４４）は、その上縁が上半部分２ａの側面１１ａ〜１４ａおよび面取り面２１ａ〜２４ａの下縁に連続しており、その下縁が凹部底面を規定している垂直外周面３０（３１〜３４）の上縁に連続している。下側の上向き傾斜外周面５０（５１〜５４）は、その上縁が垂直外周面３１の下縁に連続しており、その下縁が下半部分２ｂの側面１１ｂ〜１４ｂおよび面取り面２１ｂ〜２４ｂの上縁に連続している。
【００２０】
凹部６における、細幅の側面１２ａ、１２ｂ、１４ａ、１４ｂの間に形成されている凹部６２、６４は、一定幅および一定深さの凹部とされている。これに対して、広幅の側面１１ａ、１１ｂおよび１３ａ、１３ｂの間に形成されている凹部６１、６３は、ボトル１を持つ際に指を掛けるためのグリップ部として機能する部分であり、それらの側面幅方向の中心に向けて深さ、および幅が漸増し、中心位置において深さ、および幅が最も大きくなっている。
【００２１】
以下の説明においては、これらの凹部６１、６３をグリップ部と呼ぶこともある。また双方のグリップ部６１、６３は対称形状であるので、一方のグリップ部６１を中心に説明する。
【００２２】
図３（ｂ）から分かるように、グリップ部６１の凹部底面を規定している垂直外周面３１は左右対称な形状であり、その側面幅方向の中央部分が胴部内方に窪んでいる凹曲面３１ａによって規定され、当該凹曲面３１ａの両端には、胴部外方に突出している凸曲面３１ｂ、３１ｃが滑らかに連続している。凸曲面３１ｂ、３１ｃは、側面１２ａ、１２ｂおよび１４ａ、１４ｂの側の凹部底面を規定している凸状の垂直外周面３２、３４に滑らかに連続している。ここで、凹曲面３１ａの曲率に比べて、両端側の凸曲面３１ｂ、３１ｃの曲率が大きい。凹曲面３１ａは同一曲率の曲面により規定してもよいが、異なる曲率の凹曲面を滑らかに連続させて形成した複合凹曲面としてもよい。
【００２３】
次に、図１（ａ）から分かるように、グリップ部６１の凹部内側側面を規定している上側の下向き傾斜外周面４１は、側面１１ａ、１１ｂの幅方向に直線状に延びる傾斜面である。換言すると、ボトル軸線１ａに対して直交する方向に延びている傾斜面である。これに対して、下側の上向き傾斜外周面５１は、幅方向の中心位置が最も下に位置するように、下方に湾曲して延びている傾斜面である。したがって、これら直線状の下向き傾斜外周面４１と、湾曲状の上向き傾斜外周面５１との間隔、すなわち、グリップ部６１の間隔は、側面幅方向の中心において最も広く、両端において最も狭い。
【００２４】
ここで、グリップ部６１における側面幅方向の中央部分においては、垂直外周面４１と下向き傾斜外周面４１の入隅部分が、これらの間を滑らかに繋ぐ胴部内方に湾曲した凹曲面７１を介してつながっている。
【００２５】
このようにグリップ部６１、６３が一体形成されているボトル１を持ち上げる場合には、例えば親指と人差し指をグリップ部６１、６３に掛け、これらの間の胴部分を把持した状態で持ち上げればよい。グリップ部６１、６３を規定している凹部底面３１、３３は滑らかに連続している凹曲面３１ａおよび凸曲面３１ｂ、３１ｃによって規定され、両端側の凸曲面３１ｂ、３１ｃの曲率が大きい。したがって、指の当該凹部底面３１、３３に対する引掛かり性が良く、ボトル１を持ち上げ易い。また、グリップ部６１、６３を規定している凹部の上側の内側側面が、ボトル軸線に直交する方向に直線状に延びている下向き傾斜外周面４１、４３によって規定されている。したがって、グリップ部６１、６３に当てた指が当該下向き傾斜外周面４１に引掛り易いので、これによってもボトル１を持ち上げ易い。
【００２６】
一方、この形状のグリップ部６１、６３を備えたボトル１のブロー成形に用いる金型においては、グリップ部６１、６３を規定している凹部底面３１、３３が滑らかに連続している凹曲面３１ａおよび凸曲面３１ｂ、３１ｃによって規定されている。屈曲線などの付いている凹部底面などを成形する場合に比べて、このような滑らかな曲線を備えた金型は加工が容易である。また、グリップ部６１、６３における垂直外周面３１、３３と上側の下向き傾斜外周面４１、４３の入隅部分が凹曲面７１を介して繋がっている。この部分の入隅角度が急であると、成形性が低下し、成形品の取り出し時に、当該入隅部分を規定している金型の成形面部分に、そこに押圧されたボトル側の部分が引掛り易くなってしまう。本例のグリップ部６１、６３の形状にすれば、このような弊害を回避できる。
【図面の簡単な説明】
【００２７】
【図１】（ａ）〜（ｃ）は、本発明を適用したグリップ付きブロー成形ボトルを示す正面図、平面図および底面図である。
【図２】図１のボトルの側面図である。
【図３】（ａ）〜（ｄ）は、図１におけるＡ−Ａ線、Ｂ−Ｂ線、Ｃ−Ｃ線およびＤ−Ｄ線で切断した胴部の横断面図である。
【図４】（ａ）および（ｂ）は、それぞれ、図１におけるＥ−Ｅ線および図２におけるＦ−Ｆ線で切断した胴部の部分縦断面図である。
【符号の説明】
【００２８】
１    合成樹脂製のグリップ付きブロー成形ボトル
１ａ  ボトル軸線
２    筒状胴部
２ａ  上半部分
２ｂ  下半部分
３    底部
４    首部
５    口部
５ａ  ねじ部
６    凹部
１１ａ〜１４ａ  側面
１１ｂ〜１４ｂ  側面
２１ａ〜２４ａ  面取り面
２１ｂ〜２４ｂ  面取り面
３０  垂直外周面
３１〜３４  垂直外周面
３１ａ  凹曲面
３１ｂ、３１ｃ  凸曲面
４０  下向き傾斜外周面
４１〜４４  下向き傾斜外周面
５０  上向き傾斜外周面
５１〜５４  上向き傾斜外周面
６１〜６４  凹部
７１  凹曲面
【図１】
2008201433.tif 000003
【図２】
2008201433.tif 000004
【図３】
2008201433.tif 000005
【図４】
2008201433.tif 000006